(57)【特許請求の範囲】
【請求項１】
慶弔時における現金の送金を行うための現金書留封筒であって、
封書サイズで矩形に形成されて表封筒となる慶弔表示面１と、
前記慶弔表示面１の左右一方の側方位置で折り返されて前記慶弔表示面１の裏面に重なり、裏封筒となる現金書留表示面２と、
前記現金書留表示面２の前記慶弔表示面１と反対側の側方位置に切取線２３を境界として連設される説明書面３と、
前記慶弔表示面１の上下位置でそれぞれ内向きに折り返されて前記現金書留表示面２の裏側に貼着固定される上下蓋片５，６と、
前記慶弔表示面１の前記現金書留表示面２と反対側の側方位置に張り出し形成される側蓋片７とを備え、
前記慶弔表示面１には、水引図形を有する慶弔図形が表示される一方、前記現金書留表示面２には、受取人欄１７及び差出人欄１８が表示されて現金書留伝表２０が切り取り自在に取り付けられ、かつ、前記説明書面３には、現金書留封筒の使用説明事項が表示されており、
封筒使用時、前記現金書留表示面２から前記切取線２３に沿って前記説明書面３を切り離し、前記現金書留表示面２に前記側蓋片７を折り返して貼り付けることで封緘しうるように構成したことを特徴とする慶弔用現金書留封筒。
【請求項２】
前記説明書面３の前記現金書留表示面２と反対側の側方位置に切取線２５を境界として通信紙面４が切り離し可能に連設される、請求項１記載の慶弔用現金書留封筒。
【請求項３】
前記慶弔表示面１に慶弔文字１０が印字される、請求項１又は２記載の慶弔用現金書留封筒。
【請求項４】
前記側蓋片７の封筒外側面に郵便切手の貼付枠図形１４が表示される、請求項１，２又は３記載の慶弔用現金書留封筒。
【請求項５】
前記慶弔表示面１の表面にエンボス加工が施される、請求項１，２，３又は４記載の慶弔用現金書留封筒。
【発明の詳細な説明】
【０００１】
【発明の属する技術分野】
本発明は、慶弔袋を兼ねた現金書留封筒に関する。
【０００２】
【従来の技術】
従来、我が国では、親戚、縁者や友人、知人等の冠婚葬祭に際し、具体的には、結婚祝を始め、入学・合格・就職・成人祝、賀寿（還暦・古希、喜寿、米寿、卒寿等）、栄転・昇進祝、新築祝、開業・開店祝、出産・快気祝、お年玉・クリスマスプレゼント等の慶事や、仏事・神事や病気・災害見舞い等の弔事に際し、当該慶弔事に列席できない場合や、それが前以って判っていたり、後日、判明したような場合、これらのお慶びやお悔やみの印として、慶弔袋に現金を入れて、当事者に届けることを通例としている。
【０００３】
ところが、当事者が遠隔地であるような場合や、所用で持参できないような場合には、既製の現金書留封筒を使用し、手紙に現金を添えて郵送したり、或いは、現金を入れた慶弔袋を、現金書留封筒に入れて郵送するなどしている。
【０００４】
その内、前者の場合には、我が国における冠婚葬祭に当たっての慣習である「包みの文化」を考慮した場合の作法や様式美に欠けることになる。
この点、後者の場合のように、現金を慶弔袋に入れた形態で郵送する方が、作法や様式美を満足することになる。
【０００５】
【発明が解決しようとする課題】
その為には、慶弔袋と既製の現金書留封筒を個別に用意する必要がある上に、先ず、慶弔袋に現金を入れて封をし、それを現金書留封筒に入れて再び封をする、不経済で不合理な包装構造になっている。
【０００６】
【課題を解決するための手段】
そこで、本発明では、慶弔袋を兼ねた専用の現金書留封筒を提供することに着眼し、具体的には、第１発明において、現金書留封筒の片面、即ち、封筒本体の表封筒を、慶弔表示面に構成した専用の慶弔用現金書留封筒を提供したのである。
【０００７】
また、第２発明では、現金書留封筒の表面を慶弔表示面に形成し、現金書留封筒の裏面を現金書留表示面に構成したことを特徴とする。
【０００８】
第３発明では、請求項１又は請求項２に記載の慶弔表示面に慶弔図形や慶弔文字などを印刷表示し、また、現金書留表示面に現金書留伝票を貼着したことを特徴とする。
【０００９】
第４発明では、慶弔表示面の側部に張出した側蓋片を、現金書留表示面に向かって折り曲げ、前記側蓋片に郵便切手の貼付枠図形と、封緘枠図形の半分を印刷表示し、当該封緘枠図形の他の半分を、現金書留表示面の片側に印刷表示している。
【００１０】
第５発明では、慶弔表示面と現金書留表示面を備えた慶弔用現金書留封筒に、慶弔用現金書留封筒に関する各種事項を印刷表示した説明書面を、封筒本体から切り離し自在に連設したことを特徴とする。
【００１１】
第６発明では、封筒本体の表裏面を、慶弔表示面と現金書留表示面に形成した慶弔用現金書留封筒であって、当該封筒本体に、慶弔用現金書留封筒に関する各種事項を印刷表示した説明書面と通信紙面を切り離し自在に連設したことを特徴とする。
【００１２】
【発明の実施形態】
先ず、本発明に係る慶弔用現金書留封筒を、図１に示す封筒生地の外表面を示す展開図と、それを図２から図４に示すように、市販形態の慶弔用現金書留封筒に折り曲げた状態を示す各図と、また、封筒本体から説明書面や通信紙面を切り離し、封筒本体の内部に現金を入れ、必要に応じて、慶弔の一言を記載した通信文を入れ、図５に示すように、封印して郵送可能となした状態を示す斜視図に基づいて説明する。
【００１３】
本発明の慶弔用現金書留封筒は、１枚の封筒生地をほぼ横長矩形形状に打ち抜き形成し、図１の展開図に示すように、その一方の右側から他方の左側にかけて大きく分けて、第１面から第４面の封書サイズに区画形成している。
尚、図中、Ｆは封筒生地の表面を、Ｒは封筒生地の裏面を示している。
【００１４】
その内、右側位置の第１面は、慶弔用現金書留封筒の表面（表封筒）となる慶弔表示面１であって、当該慶弔表示面１の上下位置には上下蓋片５、６が、また、側部位置には側蓋片７が夫々張出し形成している。
【００１５】
慶弔表示面１には、紅白や白黒等の水引図形８と、慶事の場合の熨斗図形、又は、弔事の場合の蓮図形（図示せず）のような慶弔図形９（水引図形を含む）と、寿、賀寿、御祝、御礼、寸志、餞別、御香典、御仏前、御霊前、御見舞等の慶弔文字１０を、所定位置に描出して印刷表示するか、或いは、封筒生地に印刷した慶弔図形９や慶弔文字１０等を、エンボス加工して浮き上がらせている。
【００１６】
勿論、慶弔図形９のみを印刷するか、エンボス加工しておき、寿、賀寿、御祝、御礼、寸志、餞別、御香典、御仏前、御霊前、御見舞等の慶弔文字１０と、差出人氏名等は、図５に示す封緘の前後に手書きすることもできる。
【００１７】
上下蓋片５、６には、２条程度の接着剤５Ａ、６Ａが幅方向に塗布され、上下の折れ線１１、１２から図１の裏側へ折り曲げられることで、図２に示すように折り曲げられる。
【００１８】
側蓋片７は、現金書留封筒として郵送時の封緘・封印用であって、その裏面には接着剤７Ａを塗布して乾燥処理され、慶弔表示面１との境界部の側折れ線１３から、図１の裏側へ折り曲げられるようにしている。
【００１９】
側蓋片７の上部位置には、郵便切手の貼付枠図形１４が破線により印刷表示され、また、その端部位置の上中下の３箇所には、半弧状の封緘枠図形１５を破線により印刷表示している。
【００２０】
慶弔表示面１に続く第２面は、慶弔用現金書留封筒の裏面（裏封筒）となる現金書留表示面２であって、当該現金書留表示面２には、上から郵便番号欄１６、受取人欄１７、差出人欄１８及び現金書留引受番号欄１９を印刷表示している。
【００２１】
この現金書留表示面２の上面には、封筒本体の作成後に、図１の想像線で示す縦長矩形枠内に、従前の現金書留封筒における表封筒と同様な、転写方式の現金書留伝票２０が、図５（Ａ）に示すように、重ね合わされて切り取り自在に糊付け固定される。
【００２２】
２１は慶弔表示面１と現金書留表示面２の境界部の側折れ線であって、慶弔表示面１の裏側に現金書留表示面２が折り曲げられ、その裏側の上下部分が上下蓋片５、６に貼着固定されることで、図３（Ａ）や図４（Ａ）に示すように、側蓋片７の部分を開口状態とする封筒本体に作成される。
【００２３】
２２は現金書留表示面２の他側寄り位置の上中下の３箇所に破線表示した半弧状の封緘枠図形であって、図５（Ａ）に示すように、慶弔用現金書留封筒の封緘・封印時に、折り曲げた側蓋片７の封緘枠図形１５とほぼ突き合わされ、これにより封印箇所を視覚的に表示するようにしている。
【００２４】
現金書留表示面２の次の第３面の表面又はその表裏両面は、慶弔用現金書留封筒に関する各種事項を印刷表示した説明書面３であって、当該説明書面３には、現金書留封筒の封の仕方、使用上の注意事項、慶弔事の文言やその事例、その他の参考事項を印刷表示し、切取線２３により図１の表側へ折れ曲げた上で、図４（Ａ）、（Ｂ）に示すように折り畳まれると共に、封筒本体から切り離し自在としている。
【００２５】
最後の第４面の表面又はその表裏両面は、縦罫線又は横罫線２４を印刷した通信紙面４であって、当該通信紙面４を切取線２５より説明書面３の裏側へ、図４（Ａ）、（Ｂ）に示すように折り畳んで重ね合わされると共に、切り離し自在としており、現金書留の郵送時に、差出人が一言添え書きして封筒本体に同封する際に重宝する。
【００２６】
而して、図１に示す封筒生地の第１面から第４面の表面や、その表裏面に、印刷表示したり、エンボス加工してなる封筒生地を使用して、先ず、図２に示すように、上下蓋片５、６を折り曲げ、次いで、現金書留表示面２を慶弔表示面１との側折れ線２１から折り曲げ、当該現金書留表示面２の上下位置の裏面を上下蓋片５、６に貼着固定することで、図３に示すように、側蓋片７の部分を開口した封筒本体に作成される。
【００２７】
次いで、連設した説明書面３と通信紙面４を、夫々の切取線２３、２５から折り曲げて、図４（Ａ）、（Ｂ）に示すように、現金書留表示面２に重ね合わせ、その上で、側蓋片６を図４（Ｂ）に示すように折り曲げることで、市販対象の慶弔用現金書留封筒に作成される。
【００２８】
そこで、慶弔用現金書留封筒を使用する際には、折り曲げられた説明書面３と通信紙面４を展開し、その内、説明書面３の各種の記載事項を参照した上で、当該説明書面３と通信紙面４を切取線２３、２５から切り離す。
【００２９】
次いで、封筒本体側の現金書留表示面２に貼着した現金書留伝票２０に、受取人の住所氏名、差出人の住所氏名、及び、郵便番号を記載し、他方、慶弔表示面１には、水引図形８の下側中央付近に差出人の氏名を、また、慶弔文字１０が印刷されていない場合には、水引図形８の上側中央付近に適宜の慶弔文字１０を書き込む。
【００３０】
後は、封筒本体に現金を入れ、また、必要に応じて、通信紙面４に慶弔の一言を書き添えて封筒本体に入れた上で、図５（Ａ）に示すように、側蓋片７を裏側の現金書留表示面２の片側へ折り曲げて貼着固定する。
【００３１】
そして、突き合わされた封緘枠図形１５、２２を目安に封印し、また、所定の郵便切手を貼付した上で、郵便局の窓口に提出することで郵送に供する。
【００３２】
【変形例】
前記の場合には、封筒生地を横長矩形に形成し、その第１面を慶弔表示面１、第２面を現金書留表示面２、第３面を説明書面３、第４面を通信紙面４に連設してレイアウトしたが、その内、第１面と第２面を入れ換えて構成することもできる。この場合には、表封筒が現金書留表示面２に、裏封筒が慶弔表示面１に形成される。
【００３３】
【変形例】
また、前記の場合には、封筒生地を横長矩形に形成して、その各面をレイアウトしたが、封筒生地を縦長矩形に形成し、その第１面から第４面を、図６に示す展開図のようにレイアウトすることもできる。この場合、前記した実施形態と同一の構成部分には、同一の符号を付して、その説明を省略する。
【００３４】
また、本発明では、第４面に通信紙面４を切り取り自在に連設したが、その必要性は任意であって、別途、手紙用便箋により作成した通信文を入れることもできる。
【００３５】
尚、本発明では、慶弔用現金書留封筒の封筒本体を、一重袋の構造としたが、従来の現金書留封筒のように、二重袋の構造とすることもできる。
【００３６】
【発明の効果】
本発明は、前記のように、現金書留封筒の片面を慶弔表示面に構成した慶弔用現金書留封筒を提供したので、慶弔事（御礼、謝礼、寸志、餞別、御見舞等の場合を含む）における現金の送金が、我が国における「包みの文化」の慣習を損なうことなく、様式美を満足した合理的で、斬新な意匠形態で郵送することができる。
【００３７】
その為、従前のように、慶弔袋と既製の現金書留封筒を個別に用意する必要がなく、また、慶弔袋に現金を入れて封をし、それを現金書留封筒に入れて再び封をする等の不合理な包装構造を解消すると共に、現金書留封筒の新たな用法と需要を喚起する等の諸効果を齎す。
【図面の簡単な説明】
【図１】慶弔用現金書留封筒の封筒生地の表面を示す展開図である。
【図２】上下蓋片を裏側へ折り曲げた封筒生地の裏面を示す斜視図である。
【図３】現金書留表示面を折れ曲げて、その上下位置を上下蓋片に貼着固定した状態を示す図であって、その内、図（Ａ）はその斜視図、図（Ｂ）は底面図である。
【図４】封筒本体に切り離し自在に連設した説明書面と通信紙面を折り畳み、側蓋片を折り曲げて市販状態とする慶弔用現金書留封筒の図であって、その内、図（Ａ）は斜視図、図（Ｂ）は底面図である。
【図５】封筒本体から説明書面と通信紙面を切り離し、封筒本体の内部に現金を入れ、必要に応じて、慶弔の一言を記載した通信文を入れた上で、封緘・封印して郵送可能となした現金書留封筒を示す図であって、その内、図（Ａ）は裏封筒の現金書留表示面を示す斜視図、図（Ｂ）は表封筒の慶弔表示面を示す斜視図である。
【図６】封筒生地の他の実施形態を示す展開図である。
【符号の説明】
Ｆ  封筒生地表面
Ｒ  封筒生地裏面
１  慶弔表示面
２  現金書留表示面
３  説明書面
４  通信紙面
５  上蓋片
６  下蓋片
７  側蓋片
８  水引図形
９  慶弔図形
１０  慶弔文字
１１、１２  上下折れ線
１３、２１  側折れ線
１４  貼付枠図形
１５、２２  封緘枠図形
１６  郵便番号欄
１７  受取人欄
１８  差出人欄
１９  引受番号欄
２０  現金書留伝票
２３、２５  切取線
２４  罫線
【図１】
0004493150.tif 000002
【図２】
0004493150.tif 000003
【図３】
0004493150.tif 000004
【図４】
0004493150.tif 000005
【図５】
0004493150.tif 000006
【図６】
0004493150.tif 000007